(57)【要約】【課題】  記憶媒体に記憶されるデータの通信手順の仕様変更に容易に対応することができる通信制御システム、その方法、装置およびプログラムを提供する。【解決手段】  情報処理装置２は、ネットワーク１００を介してサーバ３から処理要求と認証情報を受け付け、受け付けた認証情報に基づいて検索し、認証がなされたときに一の通信手順によって通信されたデータを他の通信手順によって通信可能とし、ホストコンピュータ１は、サーバ３からの処理要求を通信制御装置２から受け付けて、処理を実行する。【選択図】  図１
2006031305.tif 000002
【特許請求の範囲】
【請求項１】
ネットワークを介して接続されているデータの出入力を行う端末装置と、通信制御を行う情報処理装置と、ホストコンピュータを含む通信制御システムであって、
前記ホストコンピュータは、
前記端末装置からの処理要求を前記情報処理装置から受け付けて、処理を実行する実行手段を備え、
前記情報処理装置は、
認証情報が格納される認証情報記憶手段と、
前記端末装置から前記処理要求を受信する処理要求受信手段と、
認証情報を前記端末装置から受け付ける認証情報受付手段と、
前記受け付けた認証情報に基づいて前記認証情報記憶手段を検索する認証情報検索手段と、
認証がなされたときに一の通信手順によって通信されたデータを他の通信手順によって通信可能とする通信可能化手段と、を備え、
前記端末装置は、
前記処理要求を発行する要求発行手段と、
前記認証情報を入力する認証情報入力手段と、
を備えることを特徴とする通信制御システム。
【請求項２】
ネットワークを介して接続されているデータの出入力を行う端末装置と、通信制御を行う情報処理装置と、本人確認のための認証を行う認証装置と、ホストコンピュータを含む通信制御システムであって、
前記ホストコンピュータは、
前記端末装置からの処理要求を前記情報処理装置から受け付けて、処理を実行する実行手段を備え、
前記情報処理装置は、
前記端末装置から前記処理要求を受信する処理要求受信手段と、
認証情報を前記端末装置から受け付ける認証情報受付手段と、
認証がなされたときに一の通信手順によって通信されたデータを他の通信手順によって通信可能とする通信可能化手段と、を備え、
前記認証装置は、
認証情報が格納される認証情報記憶手段と、
認証情報を前記情報処理装置から受信する認証情報受信手段と、
前記受信した認証情報に基づいて前記認証情報記憶手段を検索する認証情報検索手段と、
前記認証情報検索手段による検索結果を前記情報処理装置に通知する検索結果通知手段と、
を備え、
前記端末装置は、
前記処理要求を発行する要求発行手段と、
前記認証情報を入力する認証情報入力手段と、
を備えることを特徴とする通信制御システム。
【請求項３】
ネットワークを介して接続されているデータの出入力を行う端末装置と、通信制御を行う情報処理装置と、ホストコンピュータを含む通信制御システムであって、
前記ホストコンピュータは、
データ記憶媒体に記憶されるデータが格納されるデータ記憶手段と、
前記データ記憶媒体に格納されるデータを前記情報処理装置から受け付けるデータ受付手段と、を備え、
前記情報処理装置は、
認証情報が格納される認証情報記憶手段と、
前記データ記憶媒体に記憶されるデータを前記端末装置から受信するデータ受信手段と、
認証情報を前記端末装置から受け付ける認証情報受付手段と、
前記受け付けた認証情報に基づいて前記認証情報記憶手段を検索する認証情報検索手段と、
認証がなされたときに一の通信手順によって通信されたデータを他の通信手順によって通信可能とする通信可能化手段と、を備え、
前記端末装置は、
前記データ記憶媒体に記憶されるデータを入力するデータ入力手段と、
前記認証情報を入力する認証情報入力手段と、
を備えることを特徴とする通信制御システム。
【請求項４】
ネットワークを介して接続されているデータの出入力を行う端末装置と、通信制御を行う情報処理装置と、本人確認のための認証を行う認証装置と、ホストコンピュータを含む通信制御システムであって、
前記ホストコンピュータは、
データ記憶媒体に記憶されるデータが格納されるデータ記憶手段と、
前記データ記憶媒体に格納されるデータを前記情報処理装置から受け付けるデータ受付手段と、を備え、
前記情報処理装置は、
前記データ記憶媒体に記憶されるデータを前記端末装置から受信するデータ受信手段と、
認証情報を前記端末装置から受け付ける認証情報受付手段と、
認証がなされたときに一の通信手順によって通信されたデータを他の通信手順によって通信可能とする通信可能化手段と、を備え、
前記認証装置は、
認証情報が格納される認証情報記憶手段と、
認証情報を前記情報処理装置から受信する認証情報受信手段と、
前記受信した認証情報に基づいて前記認証情報記憶手段を検索する認証情報検索手段と、
前記認証情報検索手段による検索結果を前記情報処理装置に通知する検索結果通知手段と、
を備え、
前記端末装置は、
前記データ記憶媒体に記憶されるデータを入力するデータ入力手段と、
前記認証情報を入力する認証情報入力手段と、
を備えることを特徴とする通信制御システム。
【請求項５】
ネットワークを介して接続されているデータの出入力を行う端末装置と、通信制御を行う情報処理装置と、ホストコンピュータを含む通信制御システムであって、
前記ホストコンピュータは、
データ記憶媒体に記憶されるデータが格納されるデータ記憶手段と、
検索のためのキーワードを前記情報処理装置から受け付けるキーワード受付手段と、
前記受け付けたキーワードに基づいて前記データ記憶手段を検索するデータ検索手段と、を備え、
前記情報処理装置は、
認証情報が格納される認証情報記憶手段と、
認証情報を前記端末装置から受け付ける認証情報受付手段と、
前記受け付けた認証情報に基づいて前記認証情報記憶手段を検索する認証情報検索手段と、
認証がなされたときに一の通信手順によって通信されたデータを他の通信手順によって通信可能とする通信可能化手段と、
前記検索のためのキーワードを前記端末装置から受け付けるキーワード受付手段と、
検索されたデータを前記ホストコンピュータから受け付ける検索データ受付手段と、を備え、
前記端末装置は、
前記キーワードを入力するキーワード入力手段と、
前記認証情報を入力する認証情報入力手段と、
前記検索されたデータを前記情報処理装置から受信する検索データ受信手段と、
を備えることを特徴とする通信制御システム。
【請求項６】
ネットワークを介して接続されているデータの出入力を行う端末装置と、通信制御を行う情報処理装置と、本人確認のための認証を行う認証装置と、ホストコンピュータを含む通信制御システムであって、
前記ホストコンピュータは、
データ記憶媒体に記憶されるデータが格納されるデータ記憶手段と、
検索のためのキーワードを前記情報処理装置から受け付けるキーワード受付手段と、
前記受け付けたキーワードに基づいて前記データ記憶手段を検索するデータ検索手段と、を備え、
前記情報処理装置は、
認証情報を前記端末装置から受け付ける認証情報受付手段と、
認証がなされたときに一の通信手順によって通信されたデータを他の通信手順によって通信可能とする通信可能化手段と、
前記検索のためのキーワードを前記端末装置から受け付けるキーワード受付手段と、
検索されたデータを前記ホストコンピュータから受け付ける検索データ受付手段と、を備え、
前記認証装置は、
認証情報が格納される認証情報記憶手段と、
認証情報を前記情報処理装置から受信する認証情報受信手段と、
前記受信した認証情報に基づいて前記認証情報記憶手段を検索する認証情報検索手段と、
前記認証情報検索手段による検索結果を前記情報処理装置に通知する検索結果通知手段と、
を備え、
前記端末装置は、
前記キーワードを入力するキーワード入力手段と、
前記認証情報を入力する認証情報入力手段と、
前記検索されたデータを前記情報処理装置から受信する検索データ受信手段と、
を備えることを特徴とする通信制御システム。
【請求項７】
データが記憶される前記データ記憶媒体は、ＩＣカードであることを特徴とする請求項３から６のいずれか１項に記載の通信制御システム。
【請求項８】
前記端末装置は、画像を取得する撮像手段を備えることを特徴とする請求項１から７のいずれか１項に記載の通信制御システム。
【請求項９】
ネットワークを介して接続されているデータの出入力を行う端末装置と、通信制御を行う情報処理装置と、ホストコンピュータを利用した通信制御方法であって、
前記端末装置が、
要求発行手段によって、処理要求を発行するステップと、
認証情報入力手段によって、認証情報を入力するステップと、を有し、
前記情報処理装置が、
処理要求受信手段によって、前記端末装置から前記処理要求を受信するステップと、
認証情報受付手段によって、認証情報を前記端末装置から受け付けるステップと、
認証情報検索手段によって、受け付けた前記認証情報に基づいて認証情報が格納される認証情報記憶手段を検索するステップと、
通信可能化手段によって、認証がなされたときに一の通信手順で通信されたデータを他の通信手順で通信可能とするステップと、を有し、
前記ホストコンピュータが、
実行手段によって、前記端末装置からの前記処理要求を前記情報処理装置から受け付けて、処理を実行するステップを有することを特徴とする通信制御方法。
【請求項１０】
ネットワークを介して接続されているデータの出入力を行う端末装置と、通信制御を行う情報処理装置と、本人確認のための認証を行う認証装置と、ホストコンピュータを利用した通信制御方法であって、
前記端末装置が、
要求発行手段によって、処理要求を発行するステップと、
認証情報入力手段によって、認証情報を入力するステップと、を有し、
前記情報処理装置が、
処理要求受信手段によって、前記端末装置から前記処理要求を受信するステップと、
認証情報受付手段によって、認証情報を前記端末装置から受け付けるステップと、を有し、
前記認証装置が、
認証情報受信手段によって、認証情報を前記情報処理装置から受信するステップと、
認証情報検索手段によって、受信した前記認証情報に基づいて認証情報が格納される認証情報記憶手段を検索するステップと、
検索結果通知手段によって、前記検索するステップでの検索結果を前記情報処理装置に通知するステップと、を有し、
前記情報処理装置が、さらに、
通信可能化手段によって、認証がなされたときに一の通信手順によって通信されたデータを他の通信手順によって通信可能とするステップを有し、
前記ホストコンピュータが、
実行手段によって、前記端末装置からの前記処理要求を前記情報処理装置から受け付けて、処理を実行するステップを有することを特徴とする通信制御方法。
【請求項１１】
ネットワークを介して接続されているデータの出入力を行う端末装置と、通信制御を行う情報処理装置と、ホストコンピュータを利用した通信制御方法であって、
前記端末装置が、
データ入力手段によって、データ記憶媒体に記憶されるデータを入力するステップと、
認証情報入力手段によって、認証情報を入力するステップと、を有し、
前記情報処理装置が、
データ受信手段によって、前記データ記憶媒体に記憶されるデータを前記端末装置から受信するステップと、
認証情報受付手段によって、認証情報を前記端末装置から受け付けるステップと、
認証情報検索手段によって、受け付けた前記認証情報に基づいて認証情報が格納される認証情報記憶手段を検索するステップと、
通信可能化手段によって、認証がなされたときに一の通信手順によって通信されたデータを他の通信手順によって通信可能とするステップと、を有し、
前記ホストコンピュータが、
データ受付手段によって、前記データ記憶媒体に格納されるデータを前記情報処理装置から受け付けるステップと、
前記データ記憶媒体に記憶されるデータを所定のデータベースに格納するステップと、
を有することを特徴とする通信制御方法。
【請求項１２】
ネットワークを介して接続されているデータの出入力を行う端末装置と、通信制御を行う情報処理装置と、本人確認のための認証を行う認証装置と、ホストコンピュータを利用した通信制御方法であって、
前記端末装置が、
データ入力手段によって、データ記憶媒体に記憶されるデータを入力するステップと、
認証情報入力手段によって、認証情報を入力するステップと、を有し、
前記情報処理装置が、
データ受信手段によって、前記データ記憶媒体に記憶されるデータを前記端末装置から受信するステップと、
認証情報受付手段によって、認証情報を前記端末装置から受け付けるステップと、を有し、
前記認証装置が、
認証情報受信手段によって、認証情報を前記情報処理装置から受信するステップと、
認証情報検索手段によって、受信した前記認証情報に基づいて認証情報が格納される認証情報記憶手段を検索するステップと、
検索結果通知手段によって、前記検索するステップでの検索結果を前記情報処理装置に通知するステップと、を有し、
前記情報処理装置が、さらに、
通信可能化手段によって、認証がなされたときに一の通信手順によって通信されたデータを他の通信手順によって通信可能とするステップを有し、
前記ホストコンピュータが、
データ受付手段によって、前記データ記憶媒体に格納されるデータを前記情報処理装置から受け付けるステップと、
前記データ記憶媒体に記憶されるデータを所定のデータベースに格納するステップと、
を有することを特徴とする通信制御方法。
【請求項１３】
ネットワークを介して接続されているデータの出入力を行う端末装置と、通信制御を行う情報処理装置と、ホストコンピュータを利用した通信制御方法であって、
前記端末装置が、
キーワード入力手段によって、前記キーワードを入力するステップと、
認証情報入力手段によって、前記認証情報を入力するステップと、を有し、
前記情報処理装置が、
認証情報受付手段によって、認証情報を前記端末装置から受け付けるステップと、
認証情報検索手段によって、前記受け付けた認証情報に基づいて認証情報が格納される認証情報記憶手段を検索するステップと、
通信可能化手段によって、認証がなされたときに一の通信手順で通信されたデータを他の通信手順で通信可能とするステップと、
キーワード受付手段によって、前記検索のためのキーワードを前記端末装置から受け付けるステップと、を有し、
前記ホストコンピュータが、
キーワード受付手段によって検索のためのキーワードを前記情報処理装置から受け付けるステップと、
データ検索手段によって、前記受け付けたキーワードに基づいて前記データ記憶媒体に記憶されるデータを格納する所定のデータベースを検索するステップと、を有し、
前記情報処理装置が、さらに、
検索データ受付手段によって、検索されたデータを前記ホストコンピュータから受け付けるステップを有し、
前記端末装置が、さらに、
検索データ受信手段によって、前記検索されたデータを前記情報処理装置から受信するステップを有することを特徴とする通信制御方法。
【請求項１４】
ネットワークを介して接続されているデータの出入力を行う端末装置と、通信制御を行う情報処理装置と、本人確認のための認証を行う認証装置と、ホストコンピュータを利用した通信制御方法であって、
前記端末装置が、
キーワード入力手段によって、キーワードを入力するステップと、
認証情報入力手段によって、認証情報を入力するステップと、を有し、
前記情報処理装置が、
認証情報受付手段によって、認証情報を前記端末装置から受け付けるステップと、
キーワード受付手段によって、前記検索のためのキーワードを前記端末装置から受け付けるステップと、を有し、
前記認証装置が、
認証情報受信手段によって、認証情報を前記情報処理装置から受信するステップと、
認証情報検索手段によって、前記受信した認証情報に基づいて認証情報が格納される認証情報記憶手段を検索するステップと、
検索結果通知手段によって、前記検索するステップでの検索結果を前記情報処理装置に通知するステップと、を有し、
前記情報処理装置が、
通信可能化手段によって、認証がなされたときに一の通信手順で通信されたデータを他の通信手順で通信可能とするステップを有し、
前記ホストコンピュータが、
キーワード受付手段によって、検索のためのキーワードを前記情報処理装置から受け付けるステップと、
データ検索手段によって、前記受け付けたキーワードに基づいてデータ記憶媒体に記憶されるデータを格納する所定のデータベースを検索するステップと、を有し、
前記情報処理装置が、さらに、
検索データ受付手段によって、検索されたデータを前記ホストコンピュータから受け付けるステップを有し、
前記端末装置が、さらに、
検索データ受信手段によって、前記検索されたデータを前記情報処理装置から受信するステップを有することを特徴とする通信制御方法。
【請求項１５】
データが記憶される前記データ記憶媒体は、ＩＣカードであることを特徴とする請求項１１から１４のいずれか１項に記載の通信制御方法。
【請求項１６】
前記端末装置が、撮像手段によって、画像を取得するステップをさらに有することを特徴とする請求項９から１５のいずれか１項に記載の通信制御方法。
【請求項１７】
認証情報が格納される認証情報記憶手段と、
処理要求を受信する処理要求受信手段と、
認証情報を受け付ける認証情報受付手段と、
前記受け付けた認証情報に基づいて前記認証情報記憶手段を検索する認証情報検索手段と、
認証がなされたときに一の通信手順によって通信されたデータを他の通信手順によって通信可能とする通信可能化手段と、
を備えることを特徴とする装置。
【請求項１８】
処理要求を受信する処理要求受信手段と、
認証情報を受け付ける認証情報受付手段と、
認証装置による認証がなされたときに一の通信手順によって通信されたデータを他の通信手順によって通信可能とする通信可能化手段と、
を備えることを特徴とする装置。
【請求項１９】
前記処理要求は、データが記憶されるデータ記憶媒体に関するものであることを特徴とする請求項１７または１８記載の装置。
【請求項２０】
前記データが記憶されるデータ記憶媒体は、ＩＣカードであることを特徴とする請求項１９記載の装置。
【請求項２１】
端末装置が、
要求発行手段によって、処理要求を発行するステップと、
認証情報入力手段によって、認証情報を入力するステップと、を実行し、
情報処理装置が、
処理要求受信手段によって、前記端末装置から前記処理要求を受信するステップと、
認証情報受付手段によって、認証情報を前記端末装置から受け付けるステップと、
認証情報検索手段によって、受け付けた前記認証情報に基づいて認証情報が格納される認証情報記憶手段を検索するステップと、
通信可能化手段によって、認証がなされたときに一の通信手順で通信されたデータを他の通信手順で通信可能とするステップと、を実行し、
ホストコンピュータが、
実行手段によって、前記端末装置からの前記処理要求を前記情報処理装置から受け付けて、処理を実行するステップを実行することを特徴とするプログラム。
【請求項２２】
端末装置が、
要求発行手段によって、処理要求を発行するステップと、
認証情報入力手段によって、認証情報を入力するステップと、を実行し、
情報処理装置が、
処理要求受信手段によって、前記端末装置から前記処理要求を受信するステップと、
認証情報受付手段によって、認証情報を前記端末装置から受け付けるステップと、を実行し、
認証装置が、
認証情報受信手段によって、認証情報を前記情報処理装置から受信するステップと、
認証情報検索手段によって、受信した前記認証情報に基づいて認証情報が格納される認証情報記憶手段を検索するステップと、
検索結果通知手段によって、前記検索するステップでの検索結果を前記情報処理装置に通知するステップと、を実行し、
前記情報処理装置が、さらに、
通信可能化手段によって、認証がなされたときに一の通信手順によって通信されたデータを他の通信手順によって通信可能とするステップを実行し、
ホストコンピュータが、
実行手段によって、前記端末装置からの前記処理要求を前記情報処理装置から受け付けて、処理を実行するステップを実行することを特徴とするプログラム。
【請求項２３】
端末装置が、
データ入力手段によって、データ記憶媒体に記憶されるデータを入力するステップと、
認証情報入力手段によって、認証情報を入力するステップと、を実行し、
前記情報処理装置が、
データ受信手段によって、前記データ記憶媒体に記憶されるデータを前記端末装置から受信するステップと、
認証情報受付手段によって、認証情報を前記端末装置から受け付けるステップと、
認証情報検索手段によって、受け付けた前記認証情報に基づいて認証情報が格納される認証情報記憶手段を検索するステップと、
通信可能化手段によって、認証がなされたときに一の通信手順によって通信されたデータを他の通信手順によって通信可能とするステップと、を実行し、
前記ホストコンピュータが、
データ受付手段によって、前記データ記憶媒体に格納されるデータを前記情報処理装置から受け付けるステップと、
前記データ記憶媒体に記憶されるデータを所定のデータベースに格納するステップと、
を実行することを特徴とするプログラム。
【請求項２４】
端末装置が、
データ入力手段によって、データ記憶媒体に記憶されるデータを入力するステップと、
認証情報入力手段によって、認証情報を入力するステップと、を実行し、
前記情報処理装置が、
データ受信手段によって、前記データ記憶媒体に記憶されるデータを前記端末装置から受信するステップと、
認証情報受付手段によって、認証情報を前記端末装置から受け付けるステップと、を実行し、
前記認証装置が、
認証情報受信手段によって、認証情報を前記情報処理装置から受信するステップと、
認証情報検索手段によって、受信した前記認証情報に基づいて認証情報が格納される認証情報記憶手段を検索するステップと、
検索結果通知手段によって、前記検索するステップでの検索結果を前記情報処理装置に通知するステップと、を実行し、
前記情報処理装置が、さらに、
通信可能化手段によって、認証がなされたときに一の通信手順によって通信されたデータを他の通信手順によって通信可能とするステップを実行し、
前記ホストコンピュータが、
データ受付手段によって、前記データ記憶媒体に格納されるデータを前記情報処理装置から受け付けるステップと、
前記データ記憶媒体に記憶されるデータを所定のデータベースに格納するステップと、
を実行することを特徴とするプログラム。
【請求項２５】
端末装置が、
キーワード入力手段によって、前記キーワードを入力するステップと、
認証情報入力手段によって、前記認証情報を入力するステップと、を実行し、
情報処理装置が、
認証情報受付手段によって、認証情報を前記端末装置から受け付けるステップと、
認証情報検索手段によって、前記受け付けた認証情報に基づいて認証情報が格納される認証情報記憶手段を検索するステップと、
通信可能化手段によって、認証がなされたときに一の通信手順で通信されたデータを他の通信手順で通信可能とするステップと、
キーワード受付手段によって、前記検索のためのキーワードを前記端末装置から受け付けるステップと、を実行し、
ホストコンピュータが、
キーワード受付手段によって検索のためのキーワードを前記情報処理装置から受け付けるステップと、
データ検索手段によって、前記受け付けたキーワードに基づいて前記データ記憶媒体に記憶されるデータを格納する所定のデータベースを検索するステップと、を実行し、
前記情報処理装置が、さらに、
検索データ受付手段によって、検索されたデータを前記ホストコンピュータから受け付けるステップを実行し、
前記端末装置が、さらに、
検索データ受信手段によって、前記検索されたデータを前記情報処理装置から受信するステップを実行することを特徴とするプログラム。
【請求項２６】
端末装置が、
キーワード入力手段によって、キーワードを入力するステップと、
認証情報入力手段によって、認証情報を入力するステップと、を実行し、
情報処理装置が、
認証情報受付手段によって、認証情報を前記端末装置から受け付けるステップと、
キーワード受付手段によって、前記検索のためのキーワードを前記端末装置から受け付けるステップと、を実行し、
認証装置が、
認証情報受信手段によって、認証情報を前記情報処理装置から受信するステップと、
認証情報検索手段によって、前記受信した認証情報に基づいて認証情報が格納される認証情報記憶手段を検索するステップと、
検索結果通知手段によって、前記検索するステップでの検索結果を前記情報処理装置に通知するステップと、を実行し、
前記情報処理装置が、
通信可能化手段によって、認証がなされたときに一の通信手順で通信されたデータを他の通信手順で通信可能とするステップを実行し、
ホストコンピュータが、
キーワード受付手段によって、検索のためのキーワードを前記情報処理装置から受け付けるステップと、
データ検索手段によって、前記受け付けたキーワードに基づいてデータ記憶媒体に記憶されるデータを格納する所定のデータベースを検索するステップと、を実行し、
前記情報処理装置が、さらに、
検索データ受付手段によって、検索されたデータを前記ホストコンピュータから受け付けるステップを実行し、
前記端末装置が、さらに、
検索データ受信手段によって、前記検索されたデータを前記情報処理装置から受信するステップを実行することを特徴とするプログラム。
【請求項２７】
データが記憶される前記データ記憶媒体は、ＩＣカードであることを特徴とする請求項２３から２６のいずれか１項に記載のプログラム。
【請求項２８】
前記端末装置が、撮像手段によって、画像を取得するステップをさらに実行することを特徴とする請求項２１から２７のいずれか１項に記載のプログラム。
【発明の詳細な説明】
【技術分野】
【０００１】
本発明は、記憶媒体に記憶されるデータの通信手順の仕様変更に容易に対応することができる通信制御システム、その方法、装置およびプログラムに関する。
【背景技術】
【０００２】
従来、データ記憶媒体として、運転免許証、健康保険証、診察券、住民証明証等をＩＣ（Integrated Circuit）カード化したものがある。
【０００３】
これらのＩＣカードを作成等するためにホストコンピュータと個人情報等に関するデータを入力する端末装置との間、またはホストコンピュータとＩＣカードを作成する装置との間で、所定のプロトコル等の通信手順に基づいてデータをやりとりする必要が生じる。
【０００４】
ここで、通信手順は、官公庁等が策定する仕様に基づき、その仕様が変更された場合には、通常はホストコンピュータ側の設定を変更することにより対応していた。
【０００５】
ここで、運転免許証としてＩＣカードを使用し、故障履歴データ、交通違反履歴データを書き換え可能に格納することができる技術が提案されている（例えば、特許文献１参照）。
【０００６】
ここで、ホストコンピュータとホームユース端末の間に設けられるゲートウェイセンタがＩＣカードに格納されている暗証番号や口座情報を利用して認証、各種の要求発行等のデータのやりとりを行うことによって、暗証番号等の秘密を保持しつつ銀行での振込振替を振込先人からの端末操作によって行うことができる技術が提案されている（例えば、特許文献２参照）。
【特許文献１】特開２０００−３２６６７０号公報
【特許文献２】特開平７−１２１６３８号公報
【発明の開示】
【発明が解決しようとする課題】
【０００７】
しかしながら、上述した従来例においては次のような問題点があった。
【０００８】
通信手順の仕様変更に応じて、ホストコンピュータの設定を変更する際には、特別なホストコンピュータの専門知識が不可欠であり、そのような知識や技術を有しない者あるいは他社メーカ等では実際に設定を変更する作業を行うことができないという問題点があった。
【０００９】
また、仕様変更後に問題が発覚した場合であっても、ホストコンピュータの設定変更作業には相当の労力、時間、費用等がかかっているので元の状態に戻すことが困難であり、仕様変更の失敗によるリスクを軽減することが困難であるという問題点があった。
【００１０】
そこで、本発明は、特別なホストコンピュータの専門知識を必要とすることなく、記憶媒体に記憶されるデータの通信手順の仕様変更に容易に対応することができる通信制御システム、その方法、装置およびプログラムを提供することを目的とする。
【課題を解決するための手段】
【００１１】
請求項１記載の発明は、ネットワークを介して接続されているデータの出入力を行う端末装置と、通信制御を行う情報処理装置と、ホストコンピュータを含む通信制御システムであって、ホストコンピュータは、端末装置からの処理要求を情報処理装置から受け付けて、処理を実行する実行手段を備え、情報処理装置は、認証情報が格納される認証情報記憶手段と、端末装置から処理要求を受信する処理要求受信手段と、認証情報を端末装置から受け付ける認証情報受付手段と、受け付けた認証情報に基づいて認証情報記憶手段を検索する認証情報検索手段と、認証がなされたときに一の通信手順によって通信されたデータを他の通信手順によって通信可能とする通信可能化手段とを備え、端末装置は、処理要求を発行する要求発行手段と、認証情報を入力する認証情報入力手段とを備えることを特徴とする通信制御システムである。
【００１２】
請求項２記載の発明は、ネットワークを介して接続されているデータの出入力を行う端末装置と、通信制御を行う情報処理装置と、本人確認のための認証を行う認証装置と、ホストコンピュータを含む通信制御システムであって、ホストコンピュータは、端末装置からの処理要求を情報処理装置から受け付けて、処理を実行する実行手段を備え、情報処理装置は、端末装置から処理要求を受信する処理要求受信手段と、認証情報を端末装置から受け付ける認証情報受付手段と、認証がなされたときに一の通信手順によって通信されたデータを他の通信手順によって通信可能とする通信可能化手段とを備え、認証装置は、認証情報が格納される認証情報記憶手段と、認証情報を情報処理装置から受信する認証情報受信手段と、受信した認証情報に基づいて認証情報記憶手段を検索する認証情報検索手段と、認証情報検索手段による検索結果を情報処理装置に通知する検索結果通知手段とを備え、端末装置は、処理要求を発行する要求発行手段と、認証情報を入力する認証情報入力手段とを備えることを特徴とする通信制御システムである。
【００１３】
請求項３記載の発明は、ネットワークを介して接続されているデータの出入力を行う端末装置と、通信制御を行う情報処理装置と、ホストコンピュータを含む通信制御システムであって、ホストコンピュータは、データ記憶媒体に記憶されるデータが格納されるデータ記憶手段と、データ記憶媒体に格納されるデータを情報処理装置から受け付けるデータ受付手段とを備え、情報処理装置は、認証情報が格納される認証情報記憶手段と、データ記憶媒体に記憶されるデータを端末装置から受信するデータ受信手段と、認証情報を端末装置から受け付ける認証情報受付手段と、受け付けた認証情報に基づいて認証情報記憶手段を検索する認証情報検索手段と、認証がなされたときに一の通信手順によって通信されたデータを他の通信手順によって通信可能とする通信可能化手段とを備え、端末装置は、データ記憶媒体に記憶されるデータを入力するデータ入力手段と、認証情報を入力する認証情報入力手段とを備えることを特徴とする通信制御システムである。
【００１４】
請求項４記載の発明は、ネットワークを介して接続されているデータの出入力を行う端末装置と、通信制御を行う情報処理装置と、本人確認のための認証を行う認証装置と、ホストコンピュータを含む通信制御システムであって、ホストコンピュータは、データ記憶媒体に記憶されるデータが格納されるデータ記憶手段と、データ記憶媒体に格納されるデータを情報処理装置から受け付けるデータ受付手段とを備え、情報処理装置は、データ記憶媒体に記憶されるデータを端末装置から受信するデータ受信手段と、認証情報を端末装置から受け付ける認証情報受付手段と、認証がなされたときに一の通信手順によって通信されたデータを他の通信手順によって通信可能とする通信可能化手段とを備え、認証装置は、認証情報が格納される認証情報記憶手段と、認証情報を情報処理装置から受信する認証情報受信手段と、受信した認証情報に基づいて認証情報記憶手段を検索する認証情報検索手段と、認証情報検索手段による検索結果を情報処理装置に通知する検索結果通知手段とを備え、端末装置は、データ記憶媒体に記憶されるデータを入力するデータ入力手段と、認証情報を入力する認証情報入力手段とを備えることを特徴とする通信制御システムである。
【００１５】
請求項５記載の発明は、ネットワークを介して接続されているデータの出入力を行う端末装置と、通信制御を行う情報処理装置と、ホストコンピュータを含む通信制御システムであって、ホストコンピュータは、データ記憶媒体に記憶されるデータが格納されるデータ記憶手段と、検索のためのキーワードを情報処理装置から受け付けるキーワード受付手段と、受け付けたキーワードに基づいてデータ記憶手段を検索するデータ検索手段とを備え、情報処理装置は、認証情報が格納される認証情報記憶手段と、認証情報を端末装置から受け付ける認証情報受付手段と、受け付けた認証情報に基づいて認証情報記憶手段を検索する認証情報検索手段と、認証がなされたときに一の通信手順によって通信されたデータを他の通信手順によって通信可能とする通信可能化手段と、検索のためのキーワードを端末装置から受け付けるキーワード受付手段と、検索されたデータをホストコンピュータから受け付ける検索データ受付手段とを備え、端末装置は、キーワードを入力するキーワード入力手段と、認証情報を入力する認証情報入力手段と、検索されたデータを情報処理装置から受信する検索データ受信手段とを備えることを特徴とする通信制御システムである。
【００１６】
請求項６記載の発明は、ネットワークを介して接続されているデータの出入力を行う端末装置と、通信制御を行う情報処理装置と、本人確認のための認証を行う認証装置と、ホストコンピュータを含む通信制御システムであって、ホストコンピュータは、データ記憶媒体に記憶されるデータが格納されるデータ記憶手段と、検索のためのキーワードを情報処理装置から受け付けるキーワード受付手段と、受け付けたキーワードに基づいてデータ記憶手段を検索するデータ検索手段とを備え、情報処理装置は、認証情報を端末装置から受け付ける認証情報受付手段と、認証がなされたときに一の通信手順によって通信されたデータを他の通信手順によって通信可能とする通信可能化手段と、検索のためのキーワードを端末装置から受け付けるキーワード受付手段と、検索されたデータをホストコンピュータから受け付ける検索データ受付手段とを備え、認証装置は、認証情報が格納される認証情報記憶手段と、認証情報を情報処理装置から受信する認証情報受信手段と、受信した認証情報に基づいて認証情報記憶手段を検索する認証情報検索手段と、認証情報検索手段による検索結果を情報処理装置に通知する検索結果通知手段とを備え、端末装置は、キーワードを入力するキーワード入力手段と、認証情報を入力する認証情報入力手段と、検索されたデータを情報処理装置から受信する検索データ受信手段とを備えることを特徴とする通信制御システムである。
【００１７】
請求項７記載の発明は、請求項３から６のいずれか１項に記載の通信制御システムにおいて、データが記憶されるデータ記憶媒体は、ＩＣカードである。
【００１８】
請求項８記載の発明は、請求項１から７のいずれか１項に記載の通信制御システムにおいて、端末装置は、画像を取得する撮像手段を備える。
【００１９】
請求項９記載の発明は、ネットワークを介して接続されているデータの出入力を行う端末装置と、通信制御を行う情報処理装置と、ホストコンピュータを利用した通信制御方法であって、端末装置が、要求発行手段によって、処理要求を発行するステップと、認証情報入力手段によって、認証情報を入力するステップとを有し、情報処理装置が、処理要求受信手段によって、端末装置から処理要求を受信するステップと、認証情報受付手段によって、認証情報を端末装置から受け付けるステップと、認証情報検索手段によって、受け付けた認証情報に基づいて認証情報が格納される認証情報記憶手段を検索するステップと、通信可能化手段によって、認証がなされたときに一の通信手順で通信されたデータを他の通信手順で通信可能とするステップとを有し、ホストコンピュータが、実行手段によって、端末装置からの処理要求を情報処理装置から受け付けて、処理を実行するステップを有することを特徴とする通信制御方法である。
【００２０】
請求項１０記載の発明は、ネットワークを介して接続されているデータの出入力を行う端末装置と、通信制御を行う情報処理装置と、本人確認のための認証を行う認証装置と、ホストコンピュータを利用した通信制御方法であって、端末装置が、要求発行手段によって、処理要求を発行するステップと、認証情報入力手段によって、認証情報を入力するステップとを有し、情報処理装置が、処理要求受信手段によって、端末装置から処理要求を受信するステップと、認証情報受付手段によって、認証情報を端末装置から受け付けるステップとを有し、認証装置が、認証情報受信手段によって、認証情報を情報処理装置から受信するステップと、認証情報検索手段によって、受信した認証情報に基づいて認証情報が格納される認証情報記憶手段を検索するステップと、検索結果通知手段によって、検索するステップでの検索結果を情報処理装置に通知するステップとを有し、情報処理装置が、さらに、通信可能化手段によって、認証がなされたときに一の通信手順によって通信されたデータを他の通信手順によって通信可能とするステップを有し、ホストコンピュータが、実行手段によって、端末装置からの処理要求を情報処理装置から受け付けて、処理を実行するステップを有することを特徴とする通信制御方法である。
【００２１】
請求項１１記載の発明は、ネットワークを介して接続されているデータの出入力を行う端末装置と、通信制御を行う情報処理装置と、ホストコンピュータを利用した通信制御方法であって、端末装置が、データ入力手段によって、データ記憶媒体に記憶されるデータを入力するステップと、認証情報入力手段によって、認証情報を入力するステップとを有し、情報処理装置が、データ受信手段によって、データ記憶媒体に記憶されるデータを端末装置から受信するステップと、認証情報受付手段によって、認証情報を端末装置から受け付けるステップと、認証情報検索手段によって、受け付けた認証情報に基づいて認証情報が格納される認証情報記憶手段を検索するステップと、通信可能化手段によって、認証がなされたときに一の通信手順によって通信されたデータを他の通信手順によって通信可能とするステップとを有し、ホストコンピュータが、データ受付手段によって、データ記憶媒体に格納されるデータを情報処理装置から受け付けるステップと、データ記憶媒体に記憶されるデータを所定のデータベースに格納するステップとを有することを特徴とする通信制御方法である。
【００２２】
請求項１２記載の発明は、ネットワークを介して接続されているデータの出入力を行う端末装置と、通信制御を行う情報処理装置と、本人確認のための認証を行う認証装置と、ホストコンピュータを利用した通信制御方法であって、端末装置が、データ入力手段によって、データ記憶媒体に記憶されるデータを入力するステップと、認証情報入力手段によって、認証情報を入力するステップとを有し、情報処理装置が、データ受信手段によって、データ記憶媒体に記憶されるデータを端末装置から受信するステップと、認証情報受付手段によって、認証情報を端末装置から受け付けるステップとを有し、認証装置が、認証情報受信手段によって、認証情報を情報処理装置から受信するステップと、認証情報検索手段によって、受信した認証情報に基づいて認証情報が格納される認証情報記憶手段を検索するステップと、検索結果通知手段によって、検索するステップでの検索結果を情報処理装置に通知するステップとを有し、情報処理装置が、さらに、通信可能化手段によって、認証がなされたときに一の通信手順によって通信されたデータを他の通信手順によって通信可能とするステップを有し、ホストコンピュータが、データ受付手段によって、データ記憶媒体に格納されるデータを情報処理装置から受け付けるステップと、データ記憶媒体に記憶されるデータを所定のデータベースに格納するステップとを有することを特徴とする通信制御方法である。
【００２３】
請求項１３記載の発明は、ネットワークを介して接続されているデータの出入力を行う端末装置と、通信制御を行う情報処理装置と、ホストコンピュータを利用した通信制御方法であって、端末装置が、キーワード入力手段によって、キーワードを入力するステップと、認証情報入力手段によって、認証情報を入力するステップとを有し、情報処理装置が、認証情報受付手段によって、認証情報を端末装置から受け付けるステップと、認証情報検索手段によって、受け付けた認証情報に基づいて認証情報が格納される認証情報記憶手段を検索するステップと、通信可能化手段によって、認証がなされたときに一の通信手順で通信されたデータを他の通信手順で通信可能とするステップと、キーワード受付手段によって、検索のためのキーワードを端末装置から受け付けるステップとを有し、ホストコンピュータが、キーワード受付手段によって検索のためのキーワードを情報処理装置から受け付けるステップと、データ検索手段によって、受け付けたキーワードに基づいてデータ記憶媒体に記憶されるデータを格納する所定のデータベースを検索するステップとを有し、情報処理装置が、さらに、検索データ受付手段によって、検索されたデータをホストコンピュータから受け付けるステップを有し、端末装置が、さらに、検索データ受信手段によって、検索されたデータを情報処理装置から受信するステップを有することを特徴とする通信制御方法である。
【００２４】
請求項１４記載の発明は、ネットワークを介して接続されているデータの出入力を行う端末装置と、通信制御を行う情報処理装置と、本人確認のための認証を行う認証装置と、ホストコンピュータを利用した通信制御方法であって、端末装置が、キーワード入力手段によって、キーワードを入力するステップと、認証情報入力手段によって、認証情報を入力するステップとを有し、情報処理装置が、認証情報受付手段によって、認証情報を端末装置から受け付けるステップと、キーワード受付手段によって、検索のためのキーワードを端末装置から受け付けるステップとを有し、認証装置が、認証情報受信手段によって、認証情報を情報処理装置から受信するステップと、認証情報検索手段によって、受信した認証情報に基づいて認証情報が格納される認証情報記憶手段を検索するステップと、検索結果通知手段によって、検索するステップでの検索結果を情報処理装置に通知するステップとを有し、情報処理装置が、通信可能化手段によって、認証がなされたときに一の通信手順で通信されたデータを他の通信手順で通信可能とするステップを有し、ホストコンピュータが、キーワード受付手段によって、検索のためのキーワードを情報処理装置から受け付けるステップと、データ検索手段によって、受け付けたキーワードに基づいてデータ記憶媒体に記憶されるデータを格納する所定のデータベースを検索するステップとを有し、情報処理装置が、さらに、検索データ受付手段によって、検索されたデータをホストコンピュータから受け付けるステップを有し、端末装置が、さらに、検索データ受信手段によって、検索されたデータを情報処理装置から受信するステップを有することを特徴とする通信制御方法である。
【００２５】
請求項１５記載の発明は、請求項１１から１４のいずれか１項に記載の通信制御方法おいて、データが記憶されるデータ記憶媒体は、ＩＣカードである。
【００２６】
請求項１６記載の発明は、請求項９から１５のいずれか１項に記載の通信制御方法において、端末装置が、撮像手段によって、画像を取得するステップをさらに有する。
【００２７】
請求項１７記載の発明は、認証情報が格納される認証情報記憶手段と、処理要求を受信する処理要求受信手段と、認証情報を受け付ける認証情報受付手段と、受け付けた認証情報に基づいて認証情報記憶手段を検索する認証情報検索手段と、認証がなされたときに一の通信手順によって通信されたデータを他の通信手順によって通信可能とする通信可能化手段とを備えることを特徴とする装置である。
【００２８】
請求項１８記載の発明は、処理要求を受信する処理要求受信手段と、認証情報を受け付ける認証情報受付手段と、認証装置による認証がなされたときに一の通信手順によって通信されたデータを他の通信手順によって通信可能とする通信可能化手段とを備えることを特徴とする装置である。
【００２９】
請求項１９記載の発明は、請求項１７または１８記載の装置において、処理要求は、データが記憶されるデータ記憶媒体に関する。
【００３０】
請求項２０記載の発明は、請求項１９記載の装置において、データが記憶されるデータ記憶媒体は、ＩＣカードである。
【００３１】
請求項２１記載の発明は、端末装置が、要求発行手段によって、処理要求を発行するステップと、認証情報入力手段によって、認証情報を入力するステップとを実行し、情報処理装置が、処理要求受信手段によって、端末装置から処理要求を受信するステップと、認証情報受付手段によって、認証情報を端末装置から受け付けるステップと、認証情報検索手段によって、受け付けた認証情報に基づいて認証情報が格納される認証情報記憶手段を検索するステップと、通信可能化手段によって、認証がなされたときに一の通信手順で通信されたデータを他の通信手順で通信可能とするステップとを実行し、ホストコンピュータが、実行手段によって、端末装置からの処理要求を情報処理装置から受け付けて、処理を実行するステップを実行することを特徴とするプログラムである。
【００３２】
請求項２２記載の発明は、端末装置が、要求発行手段によって、処理要求を発行するステップと、認証情報入力手段によって、認証情報を入力するステップとを実行し、情報処理装置が、処理要求受信手段によって、端末装置から処理要求を受信するステップと、認証情報受付手段によって、認証情報を端末装置から受け付けるステップとを実行し、認証装置が、認証情報受信手段によって、認証情報を情報処理装置から受信するステップと、認証情報検索手段によって、受信した認証情報に基づいて認証情報が格納される認証情報記憶手段を検索するステップと、検索結果通知手段によって、検索するステップでの検索結果を情報処理装置に通知するステップとを実行し、情報処理装置が、さらに、通信可能化手段によって、認証がなされたときに一の通信手順によって通信されたデータを他の通信手順によって通信可能とするステップを実行し、ホストコンピュータが、実行手段によって、端末装置からの処理要求を情報処理装置から受け付けて、処理を実行するステップを実行することを特徴とするプログラムである。
【００３３】
請求項２３記載の発明は、端末装置が、データ入力手段によって、データ記憶媒体に記憶されるデータを入力するステップと、認証情報入力手段によって、認証情報を入力するステップとを実行し、情報処理装置が、データ受信手段によって、データ記憶媒体に記憶されるデータを端末装置から受信するステップと、認証情報受付手段によって、認証情報を端末装置から受け付けるステップと、認証情報検索手段によって、受け付けた認証情報に基づいて認証情報が格納される認証情報記憶手段を検索するステップと、通信可能化手段によって、認証がなされたときに一の通信手順によって通信されたデータを他の通信手順によって通信可能とするステップとを実行し、ホストコンピュータが、データ受付手段によって、データ記憶媒体に格納されるデータを情報処理装置から受け付けるステップと、データ記憶媒体に記憶されるデータを所定のデータベースに格納するステップとを実行することを特徴とするプログラムである。
【００３４】
請求項２４記載の発明は、端末装置が、データ入力手段によって、データ記憶媒体に記憶されるデータを入力するステップと、認証情報入力手段によって、認証情報を入力するステップとを実行し、情報処理装置が、データ受信手段によって、データ記憶媒体に記憶されるデータを端末装置から受信するステップと、認証情報受付手段によって、認証情報を端末装置から受け付けるステップとを実行し、認証装置が、認証情報受信手段によって、認証情報を情報処理装置から受信するステップと、認証情報検索手段によって、受信した認証情報に基づいて認証情報が格納される認証情報記憶手段を検索するステップと、検索結果通知手段によって、検索するステップでの検索結果を情報処理装置に通知するステップとを実行し、情報処理装置が、さらに、通信可能化手段によって、認証がなされたときに一の通信手順によって通信されたデータを他の通信手順によって通信可能とするステップを実行し、ホストコンピュータが、データ受付手段によって、データ記憶媒体に格納されるデータを情報処理装置から受け付けるステップと、データ記憶媒体に記憶されるデータを所定のデータベースに格納するステップとを実行することを特徴とするプログラムである。
【００３５】
請求項２５記載の発明は、端末装置が、キーワード入力手段によって、キーワードを入力するステップと、認証情報入力手段によって、認証情報を入力するステップとを実行し、情報処理装置が、認証情報受付手段によって、認証情報を端末装置から受け付けるステップと、認証情報検索手段によって、受け付けた認証情報に基づいて認証情報が格納される認証情報記憶手段を検索するステップと、通信可能化手段によって、認証がなされたときに一の通信手順で通信されたデータを他の通信手順で通信可能とするステップと、キーワード受付手段によって、検索のためのキーワードを端末装置から受け付けるステップと、を実行し、ホストコンピュータが、キーワード受付手段によって検索のためのキーワードを情報処理装置から受け付けるステップと、データ検索手段によって、受け付けたキーワードに基づいてデータ記憶媒体に記憶されるデータを格納する所定のデータベースを検索するステップとを実行し、情報処理装置が、さらに、検索データ受付手段によって、検索されたデータをホストコンピュータから受け付けるステップを実行し、端末装置が、さらに、検索データ受信手段によって、検索されたデータを情報処理装置から受信するステップを実行することを特徴とするプログラムである。
【００３６】
請求項２６記載の発明は、端末装置が、キーワード入力手段によって、キーワードを入力するステップと、認証情報入力手段によって、認証情報を入力するステップとを実行し、情報処理装置が、認証情報受付手段によって、認証情報を端末装置から受け付けるステップと、キーワード受付手段によって、検索のためのキーワードを端末装置から受け付けるステップとを実行し、認証装置が、認証情報受信手段によって、認証情報を情報処理装置から受信するステップと、認証情報検索手段によって、受信した認証情報に基づいて認証情報が格納される認証情報記憶手段を検索するステップと、検索結果通知手段によって、検索するステップでの検索結果を情報処理装置に通知するステップとを実行し、情報処理装置が、通信可能化手段によって、認証がなされたときに一の通信手順で通信されたデータを他の通信手順で通信可能とするステップを実行し、ホストコンピュータが、キーワード受付手段によって、検索のためのキーワードを情報処理装置から受け付けるステップと、データ検索手段によって、受け付けたキーワードに基づいてデータ記憶媒体に記憶されるデータを格納する所定のデータベースを検索するステップとを実行し、情報処理装置が、さらに、検索データ受付手段によって、検索されたデータをホストコンピュータから受け付けるステップを実行し、端末装置が、さらに、検索データ受信手段によって、検索されたデータを情報処理装置から受信するステップを実行することを特徴とするプログラムである。
【００３７】
請求項２７記載の発明は、請求項２３から２６のいずれか１項に記載のプログラムにおいて、データが記憶されるデータ記憶媒体は、ＩＣカードである。
【００３８】
請求項２８記載の発明は、請求項２１から２７のいずれか１項に記載のプログラムにおいて、端末装置が、撮像手段によって、画像を取得するステップをさらに実行する。
【発明の効果】
【００３９】
本発明の通信制御システム、その方法、装置およびプログラムによれば、記憶媒体に記憶されるデータの通信手順の仕様変更に容易に対応することができる。
【発明を実施するための最良の形態】
【００４０】
次に、本発明の一実施の形態の構成について図面を参照して説明する。
【００４１】
図１を参照すると、本実施の形態における通信制御システムは、ホストコンピュータ１と、通信制御装置２と、サーバ３と、端末４と、カメラ５から構成されている。これらのホストコンピュータ１と、通信制御装置２と、サーバ３と、端末４と、カメラ５は、プログラム制御により動作している。通信制御装置２とサーバ３、端末４およびカメラ５はネットワーク１００を介してそれぞれ接続されている。ネットワーク１００は、任意のネットワークであってよく、例えば、インターネット、ＬＡＮ（Local Area Network）等である。なお、通信方法は、有線であっても、無線であってもよい。
【００４２】
ホストコンピュータ１は、データ記憶媒体に記憶されるデータを格納するデータベースを備える情報処理装置である。データベースに格納されるデータを受け付けるデータ受付部、検索のためのキーワードを受け付けるキーワード受付部および検索を実行するデータ検索部を備えている。
【００４３】
通信制御装置２は、認証情報を格納するデータベースを備えるパーソナルコンピュータ等の情報処理装置である。データ記憶媒体に記憶されるデータをサーバ３、端末４またはカメラ５から受け付けるデータ受付部、認証情報をサーバ３、端末４またはカメラ５から受け付ける認証情報受付部、検索を実行する認証情報検索部、キーワードをサーバ３、端末４またはカメラ５から受け付けるキーワード受付部、検索されたデータをホストコンピュータ１から受け付ける検索データ受付部、変換部および通信部を備えている。なお、これらの機能がソフトウエアによって実現されてもよい。
【００４４】
サーバ３、端末４およびカメラ５は、ＩＣカード化される運転免許証、健康保険証、診察券、住民証明証等に記憶されるデータを取り扱う情報処理装置である。
【００４５】
サーバ３は、ワークステーション等の情報処理装置である。データ記憶媒体に記憶されるデータを入力するデータ入力部、認証情報を入力する認証情報入力部、キーワードを入力するキーワード入力部、検索されたデータを受け付ける検索データ受付部および通信部を備えている。データが記憶されているＩＣカード等のデータ記憶媒体を作成する機能を有していてもよい。
【００４６】
端末４は、パーソナルコンピュータ、携帯電話機等の情報処理装置である。データ記憶媒体に記憶されるデータを入力するデータ入力部、認証情報を入力する認証情報入力部、キーワードを入力するキーワード入力部、検索されたデータを受け付ける検索データ受付部および通信部を備えている。データが記憶されているＩＣカード等のデータ記憶媒体を作成する機能を有していてもよい。
【００４７】
カメラ５は、デジタルカメラ等の画像データ等を取得するデータ取得部および通信機能を備える情報処理装置である。顔写真等の身分証明証にプリントされて利用されたり、そのまま画像データとして記憶されて利用されたりする静止画、動画等を撮影する。
【００４８】
次に、図２を参照して、本実施の形態における、データ記憶媒体に記憶されるデータをサーバ３からホストコンピュータ１のデータベースに登録する際の通信制御処理のフローを詳細に説明する。なお、ここではサーバ３とのデータのやりとりが行われているが、端末４またはカメラ５とも同様のデータのやりとりがなされてもよい。
【００４９】
まず、サーバ３のデータ入力部に、データ記憶媒体に記憶されるデータである、ＩＣカード化される運転免許証、健康保険証、診察券、住民証明証等に記憶されるデータが入力される（Ｓ２０１）。また、サーバ３の認証情報入力部に、ユーザが正規のユーザであるか否かを識別して本人を確認するための認証情報が入力される（Ｓ２０２）。
【００５０】
次に、サーバ３の通信部によって、上記の入力されたデータおよび認証情報が、ネットワーク１００を介して通信制御装置２に対して送信される（Ｓ２０３）。なお、通信手順の様式は、サーバ３と通信制御装置２間で有効なものである。
【００５１】
通信制御装置２のデータ受付部は、データ記憶媒体に記憶されるデータをネットワーク１００を介してサーバ３から受け付ける（Ｓ２０４）。また、通信制御装置２の認証情報受付部は、認証情報をネットワーク１００を介してサーバ３から受け付ける（Ｓ２０５）。
【００５２】
通信制御装置２の認証情報検索部は、上記ステップＳ２０５で受け付けた認証情報に基づいて、事前に登録されている認証情報を格納しているデータベースを検索して一致する認証情報が登録されているか否かを判断する（Ｓ２０６）。
【００５３】
そして、一致する認証情報が登録されている場合（Ｓ２０６、Ｙｅｓ）には、通信制御装置２の変換部は、例えば、図６に示すような変換表によって規定される変換規則に基づいて、サーバ３と通信制御装置２間で有効な通信手順によってやりとり可能なデータから、ホストコンピュータ１と通信制御装置２間で有効な通信手順によってやりとり可能なデータへ変換する（Ｓ２０７）。具体的には、例えば、図４に示すような先頭から所定の数ビットがヘッダ部であり、その後の数ビットがデータ部である等の構成であるパケットがサーバ３から送信されてくると、変換規則が適用されて、図５に示すような構成のパケットに変換される。
【００５４】
一方、一致する認証情報が登録されていない場合（Ｓ２０６、Ｎｏ）には、サーバ３に所定のエラーメッセージが通知される。なお、その場合には、不正アクセスを受けたとみなしてサーバ３に不正アクセスエラーとして返信したり、通信制御装置２のログに記録したり、所定の管理者端末に通知する等の処理が行われてもよい。
【００５５】
そして、通信制御装置２の通信部によって、上記のステップＳ２０７における変換処理を通過したデータ記憶媒体に記憶されるデータが、ホストコンピュータ１に対して送信される（Ｓ２０８）。
【００５６】
ホストコンピュータ１のデータ受付部は、データ記憶媒体に記憶されるデータを受け付け（Ｓ２０９）、そのデータをデータベースに格納する（Ｓ２１０）。
【００５７】
なお、ホストコンピュータ１が通信制御装置２を介してサーバ３に対してデータを受け付け、データベースに登録した旨を通知することであってもよい。
【００５８】
また、サーバ３からその他の処理要求をホストコンピュータ１に対して発行した場合も同様の処理が行われることであってもよい。
【００５９】
次に、図３を参照して、本実施の形態における、サーバ３が、ホストコンピュータ１のデータベースに登録されているデータ記憶媒体に記憶されるデータをホストコンピュータ１から取得する際の通信制御処理のフローを詳細に説明する。なお、ここではサーバ３とのデータのやりとりが行われているが、端末４またはカメラ５とも同様のデータのやりとりがなされてもよい。
【００６０】
まず、サーバ３のキーワード入力部に、サーバ３のデータベースに格納されているデータを検索して取得するためのキーワード情報が入力される（Ｓ３０１）。キーワードは、例えば、氏名、識別番号等である。また、サーバ３の認証情報入力部に、ユーザが正規のユーザであるか否かを識別して本人を確認するための認証情報が入力される（Ｓ３０２）。
【００６１】
次に、サーバ３の通信部によって、上記の入力されたキーワード情報および認証情報が、ネットワーク１００を介して通信制御装置２に対して送信される（Ｓ３０３）。なお、通信手順の様式は、サーバ３と通信制御装置２間で有効なものである。
【００６２】
通信制御装置２のキーワード受付部は、キーワード情報をネットワーク１００を介してサーバ３から受け付ける（Ｓ３０４）。また、通信制御装置２の認証情報受付部は、認証情報をネットワーク１００を介してサーバ３から受け付ける（Ｓ３０５）。
【００６３】
通信制御装置２の認証情報検索部は、上記ステップＳ３０５で受け付けた認証情報に基づいて、事前に登録されている認証情報を格納しているデータベースを検索して一致する認証情報が登録されているか否かを判断する（Ｓ３０６）。
【００６４】
そして、一致する認証情報が登録されている場合（Ｓ３０６、Ｙｅｓ）には、通信制御装置２の変換部は、例えば、図６に示すような変換表によって規定される変換規則に基づいて、サーバ３と通信制御装置２間で有効な通信手順によってやりとり可能なデータから、ホストコンピュータ１と通信制御装置２間で有効な通信手順によってやりとり可能なデータへ変換する（Ｓ３０７）。具体的には、例えば、図４に示すような先頭から所定の数ビットがヘッダ部であり、その後の数ビットがデータ部である等の構成であるパケットがサーバ３から送信されてくると、変換規則が適用されて、図５に示すような構成のパケットに変換される。
【００６５】
一方、一致する認証情報が登録されていない場合（Ｓ３０６、Ｎｏ）には、サーバ３に所定のエラーメッセージが通知される。なお、その場合には、不正アクセスを受けたとみなしてサーバ３に不正アクセスエラーとして返信したり、通信制御装置２のログに記録したり、所定の管理者端末に通知する等の処理が行われてもよい。
【００６６】
そして、通信制御装置２の通信部によって、上記のステップＳ３０７における変換処理を通過したキーワード情報が、ホストコンピュータ１に対して送信される（Ｓ３０８）。
【００６７】
ホストコンピュータ１のキーワード受付部は、検索のためのキーワード情報を受け付ける（Ｓ３０９）。
【００６８】
ホストコンピュータ１のデータ検索部は、受け付けたキーワードに基づいてデータベースを検索して、キーワードと一致するデータが格納されているか否かを判断する（Ｓ３１０）。
【００６９】
そして、一致するデータが登録されていない場合（Ｓ３１０、Ｎｏ）には、通信制御装置２を介してサーバ３に対して所定のエラーメッセージが通知される。
【００７０】
一方、一致するデータが登録されている場合（Ｓ３１０、Ｙｅｓ）には、そのデータに対応付けられて登録されているデータを取得して、通信制御装置２に対して送信する（Ｓ３１１）。
【００７１】
通信制御装置２の検索データ受付部は、上記のデータをホストコンピュータ１から受け付け（Ｓ３１２）、その受け付けたデータをネットワーク１００を介してサーバ３に対して送信する。
【００７２】
サーバ３の検索データ受付部は、検索されたデータを受け付ける（Ｓ３１３）。そして、そのデータを所定の表示機構に表示することであってもよい。
【００７３】
上記の実施の形態によれば、ホストコンピュータ１の設定を変更せずに、他社メーカ等の通信制御装置２を用いてデータの通信を制御することができるようになる。また、ホストコンピュータ１の設定を変更する作業を行うことに伴うリスクを回避することができる。
【００７４】
また、通信制御装置２によって、ホストコンピュータ１への通信履歴・状況等をすべて一元管理することができるので、管理コストの削減やセキュリティの向上を図ることができる。さらに、ホストコンピュータ１と連携させる機器が増加した場合であっても、ホストコンピュータ１に影響を及ぼさずにシステムの拡張を行うことができる。
【００７５】
次に、本発明の他の実施の形態について図面を参照して説明する。本実施の形態は、認証情報を格納するデータベースを通信制御装置の外部に設けた点で、上記の一実施の形態と異なる。
【００７６】
図７を参照すると、本実施の形態における通信制御システムは、ホストコンピュータ１と、通信制御装置２と、サーバ３と、端末４と、カメラ５と、認証装置６から構成されている。認証装置６以外は、上記の一実施の形態と同様であるため重複する説明は省略する。認証装置６は、プログラム制御により動作している。認証装置６と通信制御装置２、サーバ３、端末４およびカメラ５はネットワーク１００を介してそれぞれ接続されている。
【００７７】
認証装置６は、認証情報を格納するデータベースを備えるパーソナルコンピュータ等の情報処理装置である。認証情報を通信制御装置２から受け付ける認証情報受付部、検索を実行する認証情報検索部および通信部を備えている。
【００７８】
次に、図８を参照して、本実施の形態における、データ記憶媒体に記憶されるデータをサーバ３からホストコンピュータ１のデータベースに登録する際の通信制御処理のフローを詳細に説明する。なお、ここではサーバ３とのデータのやりとりが行われているが、端末４またはカメラ５とも同様のデータのやりとりがなされてもよい。
【００７９】
まず、サーバ３のデータ入力部に、データ記憶媒体に記憶されるデータである、ＩＣカード化される運転免許証、健康保険証、診察券、住民証明証等に記憶されるデータが入力される（Ｓ８０１）。また、サーバ３の認証情報入力部に、ユーザが正規のユーザであるか否かを識別して本人を確認するための認証情報が入力される（Ｓ８０２）。
【００８０】
次に、サーバ３の通信部によって、上記の入力されたデータおよび認証情報が、ネットワーク１００を介して通信制御装置２に対して送信される（Ｓ８０３）。なお、通信手順の様式は、サーバ３と通信制御装置２間で有効なものである。
【００８１】
通信制御装置２のデータ受付部は、データ記憶媒体に記憶されるデータをネットワーク１００を介してサーバ３から受け付ける（Ｓ８０４）。また、通信制御装置２の認証情報受付部は、認証情報をネットワーク１００を介してサーバ３から受け付ける（Ｓ８０５）。
【００８２】
通信制御装置２の通信部は、受け付けた認証情報をネットワーク１００を介して認証装置６に対して送信する（Ｓ８０６）。
【００８３】
認証装置６の認証情報受付部は、認証情報を通信制御装置２から受け付ける（Ｓ８０７）。
【００８４】
認証装置６の認証情報検索部は、上記ステップＳ８０７で受け付けた認証情報に基づいて、事前に登録されている認証情報を格納しているデータベースを検索して一致する認証情報が登録されているか否かを判断する（Ｓ８０８）。
【００８５】
そして、一致する認証情報が登録されている場合（Ｓ８０８、Ｙｅｓ）には、通信部によってネットワーク１００を介して通信制御装置２に対してその旨を通知する（Ｓ８０９）。
【００８６】
一方、一致する認証情報が登録されていない場合（Ｓ８０８、Ｎｏ）には、通信部によってネットワーク１００を介して通信制御装置２に対してその旨を通知する（Ｓ８１０）。
【００８７】
通信制御装置２が認証装置６から上記のいずれかの通知を受け取った後の処理は、上記の一実施の形態と同様である。
【００８８】
次に、図９を参照して、本実施の形態における、サーバ３が、ホストコンピュータ１のデータベースに登録されているデータ記憶媒体に記憶されるデータをホストコンピュータ１から取得する際の通信制御処理のフローを詳細に説明する。なお、ここではサーバ３とのデータのやりとりが行われているが、端末４またはカメラ５とも同様のデータのやりとりがなされてもよい。
【００８９】
まず、サーバ３のキーワード入力部に、サーバ３のデータベースに格納されているデータを検索して取得するためのキーワード情報が入力される（Ｓ９０１）。キーワードは、例えば、氏名、識別番号等である。また、サーバ３の認証情報入力部に、ユーザが正規のユーザであるか否かを識別して本人を確認するための認証情報が入力される（Ｓ９０２）。
【００９０】
次に、サーバ３の通信部によって、上記の入力されたキーワード情報および認証情報が、ネットワーク１００を介して通信制御装置２に対して送信される（Ｓ９０３）。なお、通信手順の様式は、サーバ３と通信制御装置２間で有効なものである。
【００９１】
通信制御装置２のキーワード受付部は、キーワード情報をネットワーク１００を介してサーバ３から受け付ける（Ｓ９０４）。また、通信制御装置２の認証情報受付部は、認証情報をネットワーク１００を介してサーバ３から受け付ける（Ｓ９０５）。
【００９２】
通信制御装置２の通信部は、受け付けた認証情報をネットワーク１００を介して認証装置６に対して送信する（Ｓ９０６）。
【００９３】
認証装置６の認証情報受付部は、認証情報を通信制御装置２から受け付ける（Ｓ９０７）。
【００９４】
認証装置６の認証情報検索部は、上記ステップＳ８０７で受け付けた認証情報に基づいて、事前に登録されている認証情報を格納しているデータベースを検索して一致する認証情報が登録されているか否かを判断する（Ｓ９０８）。
【００９５】
そして、一致する認証情報が登録されている場合（Ｓ９０８、Ｙｅｓ）には、通信部によってネットワーク１００を介して通信制御装置２に対してその旨を通知する（Ｓ９０９）。
【００９６】
一方、一致する認証情報が登録されていない場合（Ｓ９０８、Ｎｏ）には、通信部によってネットワーク１００を介して通信制御装置２に対してその旨を通知する（Ｓ９１０）。
【００９７】
通信制御装置２が認証装置６から上記のいずれかの通知を受け取った後の処理は、上記の一実施の形態と同様である。
【００９８】
上記の実施の形態によれば、認証情報を格納しているデータベースを認証装置６が備え、通信制御装置２とは別個に構成されているため、認証情報をホストコンピュータ１へのアクセス以外の他の用途に利用することができる。例えば、ホストコンピュータ１へアクセスする認証情報と、サーバ３、端末４、カメラ５間で相互アクセスする際の認証情報が共通する場合には、特に有効となる。
【００９９】
なお、上述する各実施の形態は、本発明の好適な実施の形態であり、本発明の要旨を逸脱しない範囲内において種々変更実施が可能である。例えば、上記の実施の形態におけるホストコンピュータ１、通信制御装置２、サーバ３等の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【０１００】
上記の実施の形態では、ホストコンピュータ１、通信制御装置２、サーバ３等が別個の装置として接続されているシステム構成について説明したが、各機能が１つのコンピュータシステムとして実現されている構成や機能毎に複数のサーバ装置等が追加された構成にも適用可能であることはもちろんである。
【図面の簡単な説明】
【０１０１】
【図１】本発明の一実施形態における通信制御システムの概略構成を示す図である。
【図２】本発明の一実施形態におけるデータを登録する際の通信制御処理動作を示すシーケンス図である。
【図３】本発明の一実施形態におけるデータを取得する際の通信制御処理を示すシーケンス図である。
【図４】サーバと通信制御装置間の通信のパケット構成の一例を示す図である。
【図５】ホストコンピュータと通信制御装置間の通信のパケット構成の一例を示す図である。
【図６】異なる通信仕様間の変換規則を定める変換表の一例を示す図である。
【図７】本発明の他の実施形態における通信制御システムの概略構成を示す図である。
【図８】本発明の他の実施形態におけるデータを登録する際の通信制御処理動作を示すシーケンス図である。
【図９】本発明の他の実施形態におけるデータを取得する際の通信制御処理を示すシーケンス図である。
【符号の説明】
【０１０２】
１    ホストコンピュータ
２    通信制御装置
３    サーバ
４    端末
５    カメラ
１００    ネットワーク
【図１】
2006031305.tif 000003
【図２】
2006031305.tif 000004
【図３】
2006031305.tif 000005
【図４】
2006031305.tif 000006
【図５】
2006031305.tif 000007
【図６】
2006031305.tif 000008
【図７】
2006031305.tif 000009
【図８】
2006031305.tif 000010
【図９】
2006031305.tif 000011